(57)【要約】      （修正有）【課題】薄型画像表示装置の背面に配置されている外部入力端子と外部機器との接続に際し、壁寄せスタンドを壁から離す移動時に薄型画像表示装置が壁側へ向かって転倒することを防ぐ安定性を向上したスタンドを提供する。【解決手段】表示装置が支持される支柱部と、支柱部の下部に取り付けられた台座部とを有する側面視Ｌ字型の表示装置用スタンドであって、スタンド台座は固定台座と可動台座からなり、可動台座は回動もしくはスライド動作により画像表示面方向へ可動させることによって、スタンド台座の重心を可変させる。【選択図】図５
2010054599.tif 000002
【特許請求の範囲】
【請求項１】
薄型画像表示装置が支持される支柱部と該支柱部下部に取付けられた台座を有する薄型画像表示装置用スタンドにおいて、
前記台座は固定台座と可動台座とからなり、該可動台座は少なくとも第１の位置と第２の位置で保持する手段を有することを特徴とする薄型画像表示装置用スタンド。
【請求項２】
前記第１の位置及び第２の位置のどちらか一方で設置床に摩擦力を付加する摩擦力付加手段と移動を可能にする移動手段を台座に有することを特徴とする請求項１に記載の薄型画像表示装置用スタンド。
【請求項３】
前記摩擦力付加手段を可動台座に、該摩擦力付加手段が貫通可能な貫通穴と、前記移動手段を固定台座に有することを特徴とする請求項２に記載の薄型画像表示装置用スタンド。
【請求項４】
前記可動台座の重量は、画像表示装置と前記薄型画像表示装置用スタンドの合計重量のおよそ１０％以上であることを特徴とする請求項１〜請求項３のいずれかに記載の薄型画像表示装置用スタンド。
【請求項５】
前記可動台座は回転動作によって可動することを特徴とする請求項４に記載の薄型画像表示装置用スタンド。
【請求項６】
前記可動台座はスライド動作によって可動することを特徴とする請求項４に記載の薄型画像表示装置用スタンド。
【発明の詳細な説明】
【技術分野】
【０００１】
本発明は、薄型画像表示装置を支持するためのスタンドに関するものである。
【背景技術】
【０００２】
従来の薄型画像表示装置用のスタンドとしては、図１０に示したように画像表示部１１３を支えるスタンド台座１１１とスタンド支柱１１２とからなる。前記スタンド台座１１１は前後方向へ転倒しないようにスタンド台座１１１の後端より寸法１１４の位置にほぼ垂直方向にスタンド支柱１１２が取付けられている。前記寸法１１４は薄型画像表示装置が前方のみならず後方へ倒れ難いように設定されるため、薄型画像表示装置を設置する際には少なくとも該寸法１１４だけ壁から離す必要がある。上記の制約に対して、近年の薄型画像表示装置のさらなる薄型化を活かした設置用スタンドとしてスタンド台座とスタンド支柱が側面視Ｌ字型をなし、壁に寄せて設置可能な壁寄せスタンドのニーズが高まってきている。図１１に壁寄せスタンドの一例を示す。前記壁寄せスタンドは、寸法１１４に相当する支柱１２２背面と壁との距離を極力狭めることにより画像表示部１２３をより壁に寄せて設置することが可能である。
【０００３】
ところが薄型画像表示装置の背面には外部入力端子が配されていることが多く、外部機器との接続に際して薄型画像表示装置の背面へアクセスするために前記壁寄せスタンドを壁から離す必要がある。ここで前記壁寄せスタンドは本来壁に寄せて設置することを想定しているため、移動時に壁から離した状態であると、壁側つまり後方へ転倒しやすく細心の注意を払わねばならないという課題があった。
【０００４】
上記課題に対する壁寄せスタンドの設置安定性を向上させる方法として、図１１に示したように固定台座１２１ａと前方可動台座１２１ｂ、後方可動台座１２１ｃとからなるスタンド台座１２１の奥行方向の長さを前方矢印１２４もしくは後方矢印１２５のように調整する方法が提案されていた（例えば、特許文献１参照）。前記前方可動台座１２１ｂを前方矢印１２４へ可動させると前方への転倒角が増し、前記後方可動台座１２１ｃを後方矢印１２５へ可動させると後方転倒角が増す構成となっている。前記後方転倒角とは、図４に示すように薄型画像表示装置とスタンドとの合成の重心点４０１と原点４００を結ぶ直線と鉛直ベクトル（Ｙ方向）がなす角度であり後方転倒角４０２で示す。ここで原点４００は、側面視のスタンド台座底面と台座背面の交点である。
【特許文献１】特開２００８−８５９１９号公報
【発明の開示】
【発明が解決しようとする課題】
【０００５】
上述した従来の技術では、図１１のように画像表示面と反対の後方への転倒に対する安定性確保のために前記後方可動台座１２１ｃを後方矢印１２５へ可動させる必要がある。しかしながら薄型画像表示装置の背面にある外部接続端子にアクセスする際には、すでに壁に寄せてある壁寄せスタンドをいったん壁から離してから前記後方可動台座１２１ｃを可動させる必要があった。そのため前記後方可動台座１２１ｃを可動させる前の状態で壁寄せスタンドを移動させなければならず、後方への転倒角を確保することが困難であるという課題があった。
【０００６】
そこで、本発明は薄型画像表示装置用壁寄せスタンドの移動時における安定性向上を容易に提供することを目的とする。
【課題を解決するための手段】
【０００７】
本発明に係わる薄型画像表示装置用壁寄せスタンドでは、表示装置が支持される支柱部と該支柱部下部に取付けられた台座部とを有する側面視Ｌ字型の表示装置用スタンドであり、前記台座部は可動台座と固定台座に分けられていることを特徴とする。
【０００８】
本発明に係わる薄型画像表示装置用壁寄せスタンドでは、前記可動台座の重量は、画像表示装置と前記薄型画像表示装置用スタンドの合計重量のおよそ１０％以上であることを特徴とする。
【０００９】
本発明に係わる薄型画像表示装置用壁寄せスタンドでは、前記可動台座は回動や奥行方向へのスライド動作で薄型画像表示装置用壁寄せスタンドの重心位置を可変できることを特徴とする。
【００１０】
本発明に係わる薄型画像表示装置用壁寄せスタンドでは、前記可動台座は可変前後の状態で保持できることを特徴とする。
【発明の効果】
【００１１】
本発明によれば、薄型画像表示装置用スタンドの可動台座を画像表示側の奥行方向前方に可動させ台座部の重心位置を可変させることにより前記薄型画像表示装置用スタンドの重心位置を前方へ可変させ、その結果画像表示装置と前記薄型画像表示装置用スタンドの合成重心が前方へ移動し後方への転倒角が増し、安定した状態で該薄型画像表示装置の設置移動を行うことが可能となる。
【発明を実施するための最良の形態】
【００１２】
次に、本発明の詳細を実施例の記述に従って説明する。
【００１３】
以下、本発明に係わる実施形態を図に基づいて説明する。
【実施例１】
【００１４】
図１は本発明に係わる薄型画像表示装置用壁寄せスタンドの第１の実施形態を示す背面斜視図、図２は図１の薄型画像表示装置用壁寄せスタンド台座１０１の拡大図であり、図３は図２のスタンド台座１０１の可動台座１０１ｂをほぼ１８０度回動させた状態を表す図である。図４は図１の側面視を表し、図５は図３の側面視を表している。
【００１５】
前記薄型画像表示装置用壁寄せスタンドは、図１のように台座と支柱が側面視Ｌ字型を成し、設置床面に対してほぼ水平なスタンド台座１０１と設置床面に対してほぼ垂直なスタンド支柱１０２とからなっている。スタンド台座１０１は固定台座１０１ａと可動台座１０１ｂとからなる。前記可動台座１０１ｂは、前記固定台座１０１ａに対して回動できるようになっている。以下に可動動作について説明する。図２に示すとおり固定台座１０１ａの背面端部にはロック操作部２０１、ロック２０２が設けられ、図３に示す可動台座１０１ｂの勘合穴３０３にロック２０２が勘合し、前記薄型画像表示装置用壁寄せスタンド設置状態において前記可動台座１０１ｂが意図せず可動しないように前記固定台座１０１ａに保持されている。前記勘合穴３０３は、ヒンジ３０１と可動台座１０１ｂの結合端部と対向する端部に設けられている。また固定台座１０１ａと可動台座１０１ｂはヒンジ３０１で回動可能に結合され、回転軸３０２を中心として可動台座１０１ｂが回動するような構成となっている。ここではロック操作部２０１、ロック２０２は固定台座１０１ａに、勘合穴３０３は可動台座１０１ｂに設けられているが、ロック操作部２０１、ロック２０２が可動台座１０１ｂに、勘合穴３０３が固定台座１０１ａに設けられていてもよい。
【００１６】
以上のような構成において前記可動台座１０１ｂは、図２、図３のように矢印２０４の方向に操作部２０１をスライドさせロック２０２を勘合穴３０３からロック解除させることにより矢印２０３の方向へ回転軸３０２を中心として回動させることができる。ここで図１のように可動台座１０１ｂを回動させる前の状態を第１の位置、図３のように可動台座１０１ｂを回動させた後の状態を第２の位置とする。第１の位置における画像表示装置と前記壁寄せスタンドの重心位置を図４の重心点４０１、後方転倒角４０２とすると、第２の位置では図５のように重心点５０１、後方転倒角５０２となる。図５が表すように可動台座１０１ｂを回動後の第２の位置では、回動前の第１の位置に対して重心移動量５０３だけ奥行方向に可変させることができる。その結果、後方への転倒角は後方転倒角４０２＜後方転倒角５０２となり、安定した状態で薄型画像表示装置の設置移動を行うことが可能となる。
【００１７】
図５において、固定台座１０１ａの重量を１５．５ｋｇ、可動台座１０１ｂを１４．５ｋｇ、スタンド支柱１０２を１５．０ｋｇ、画像表示部１０３を５７．０ｋｇ、可動台座１０１ｂの奥行方向（Ｘ方向）の寸法を４３５ｍｍとした。
【００１８】
可動台座１０１ｂの可動前での重心点４０１は座標（Ｘ，Ｙ）＝（−１１０，６１４）で後方転倒角４０２は１０．２度である。また可動台座１０１ｂの可動後での重心点５０１は座標（Ｘ，Ｙ）＝（−１６９，６１１）で後方転倒角５０２は１５．５度になる。以上の結果から、可動台座１０１ｂの可動後では後方転倒角４０２より後方転倒角５０２の方が角度にして５．３度大きくなり、後方への転倒角を増すことができる。
【実施例２】
【００１９】
図６は可動台座１０１ｂの可動方法の一例を示したものであり、図７は図６のスライドレール６０１の詳細図を表している。その他の構成については、第１の実施形態と同様であるので説明を省略する。
【００２０】
図７のように前記アウターレール７０１は、ねじ７０２によって固定台座１０１ａに締結され、前記インナーレール７０３は、ねじ７０４によって可動台座１０１ｂに締結されている。ゆえに図６に示すように固定台座１０１ａと可動台座１０１ｂは、前記スライドレール６０１によって結合される構成となっている。前記スライドレール６０１は図７に示すように前記アウターレール７０１と前記インナーレール７０３からなり、前記アウターレール７０１が前記インナーレール７０３を外側から抱え込むような構造となっている。前記アウターレール７０１と前記インナーレール７０３の間には、スライド時の摩擦力を低減するためにボールベアリング（図示せず）が設けてあってもよく、前記インナーレール７０３が軽い力で前記アウターレール７０１に対して矢印７０８のように直線的にスライドする。また前記アウターレール７０１には角穴７０５ａが該アウターレール７０１の一側面と対向する面に角穴７０５ｂが設けられている。
【００２１】
さらに前記インナーレール７０３には突起７０７が該インナーレール７０３の一側面と対向する面に同様に突起７０７（図示せず）が設けられている。
【００２２】
以上のような構成において、前記インナーレール７０３の前記突起７０７が前記角穴７０５ａに勘合する位置において、前記インナーレール７０３と締結された可動台座１０１ｂを保持させることができる。前記インナーレール７０３の保持状態を解除させたい場合は、可動台座１０１ｂをある一定以上の力で矢印７０８のいずれかの方向へ可動させることにより行う。ここである一定以上の力は、突起７０７が角穴７０５ａとの勘合位置から外れる時の力である。
【００２３】
以上のような前記スライドレール６０１を用いたスライド動作によって可動台座１０１ｂを矢印７０８の方向へ可動させることにより、薄型画像表示装置用壁寄せスタンドの重心位置を可変させることができ、図５と同様に重心位置を可変させることが可能で、第１の実施形態と同様の効果を得ることができる。ここで前記アウターレール７０１は固定台座１０１ａに締結され、前記インナーレール７０３は可動台座１０１ｂに締結されていたが、その組合せを限定するものではない。
【実施例３】
【００２４】
図８は、薄型画像表示装置用壁寄せスタンドの移動時において後方へ転倒し難い状態を保ちつつ、より移動させやすい壁寄せスタンドの台座構成の一例である。図９は図８の側面視である。図８において車輪８０１は固定台座１０１ａに取付けられ、ブレーキ８０４は可動台座１０１ｂに取付けられている。ここで車輪８０１は、外観への露出を少なくするために固定台座１０１ａの底面に設けられたザグリ部８０２に前記車輪８０１の上部が埋没するように取付けられている。ブレーキ８０４は固定台座１０１ａに設けられた貫通穴８０３を通して設置床９０1に接している。前記ブレーキ８０４はゴム等の弾性体で出来ており、設置床９０1とで摩擦力を生じてブレーキの役目を果たしている。第１の実施形態と同様に固定台座１０１ａのロック２０２が可動台座１０１ｂの勘合穴３０３に勘合している。そのため前記薄型画像表示装置用壁寄せスタンド設置状態において弾性体の前記ブレーキ８０４と設置床９０1の間に生じる反発力で前記可動台座１０１ｂが浮き上がらないように構成されている。
【００２５】
その他の構成については、第１の実施形態と同様であるので説明を省略する。
【００２６】
以上のような構成において図９のように回転軸３０２を中心として矢印９０２の方向に可動台座１０１ｂを回動させることによりブレーキ８０４は設置床９０１と離れてブレーキ機能が解除される。この状態では、設置床９０１と薄型表示装置用壁寄せスタンドは車輪８０１で接していて、後方へ倒れ難い状態で薄型表示装置用壁寄せスタンドを容易に移動させることが可能である。
【図面の簡単な説明】
【００２７】
【図１】本発明に係わる薄型表示装置用壁寄せスタンドの第１の実施形態を示す背面斜視図。
【図２】図１の台座の拡大図。台座は、可動台座と固定台座とからなる。ロック解除により可動台座が回動可能となる。
【図３】図２の可動台座をほぼ１８０度回動させた状態を示す。
【図４】図１の側面視であり可動台座回動前の重心点を示す。
【図５】図３の側面視であり可動台座回動後の重心点を示す。
【図６】第２の実施形態を示す背面斜視図。可動台座がスライド可動する。
【図７】図６のスライドレール６０１の詳細図。
【図８】可動台座にブレーキ、固定台座に車輪を設けたスタンド台座の図。
【図９】可動台座を回動させてブレーキ部が設置床から解除され固定台座の車輪８０１によって移動し易くなった状態を示す図。
【図１０】薄型画像表示装置用スタンドの支柱と台座の位置関係を示す従来例。
【図１１】薄型画像表示装置用スタンド可動台座の可動方法の従来例。
【符号の説明】
【００２８】
１０１  スタンド台座
１０１ａ  固定台座
１０１ｂ  可動台座
１０２  スタンド支柱
１０３  画像表示部
２０１  ロック操作部
２０２  ロック
２０３  矢印
２０４  矢印
３０１  ヒンジ
３０２  回転軸
３０３  勘合穴
４００  原点
４０１  重心点
４０２  後方転倒角
５０１  重心点
５０２  後方転倒角
５０３  重心移動量
６０１  スライドレール
６０２  矢印
７０１  アウターレール
７０２  ねじ
７０３  インナーレール
７０４  ねじ
７０５ａ  角穴
７０５ｂ  角穴
７０６ａ  角穴
７０６ｂ  角穴
７０７  突起
７０８  矢印
８０１  車輪
８０２  ザグリ部
８０３  貫通穴
８０４  ブレーキ
９０１  設置床
９０２  矢印
１１１  スタンド台座
１１２  スタンド支柱
１１３  画像表示部
１１４  寸法
１２１  スタンド台座
１２１ａ  固定台座
１２１ｂ  前方可動台座
１２１ｃ  後方可動台座
１２２  スタンド支柱
１２３  画像表示部
１２４  前方矢印
１２５  後方矢印
【図１】
2010054599.tif 000003
【図２】
2010054599.tif 000004
【図３】
2010054599.tif 000005
【図４】
2010054599.tif 000006
【図５】
2010054599.tif 000007
【図６】
2010054599.tif 000008
【図７】
2010054599.tif 000009
【図８】
2010054599.tif 000010
【図９】
2010054599.tif 000011
【図１０】
2010054599.tif 000012
【図１１】
2010054599.tif 000013